(57)【特許請求の範囲】
【請求項１】
上面に足場板を支持する支持部材と、該支持部材の一端部に設けられて該支持部材を被取付材に着脱自在に取り付ける第１取付け具と、該支持部材の他端部に回動自在に支持された防護柵支柱と、を備えた足場板支持装置であって、
前記第１取付け具は、前記支持部材の一端部をＬ字状に屈曲させた垂下片に対して一片を上下方向へスライド自在に係合させたＬ字板状の可動片と、第１係止部とからなり、
前記第１係止部は、前記支持部材と平行な前記可動片の他片に設けたネジ穴に螺合して前記支持部材下面に対して進退する第１軸部と、該第１軸部の先端部に設けられ該第１軸部の締結時に前記支持部材下面との間で前記被取付材を挟圧する第１係止部材と、該第１軸部の他端部に設けられた第１頭部と、を備え、
前記支持部材の他端部には上向きに屈曲した支柱支持片を有し、前記防護柵支柱は該支柱支持片を貫通した支持穴内に遊嵌して起立状態と横臥状態との間を変位可能に構成されたことを特徴とする足場板支持装置。
【請求項２】
上面に足場板を支持する支持部材と、該支持部材の一端部に設けられて該支持部材を被取付材に着脱自在に取り付ける第１及び第２の取付け具と、該支持部材の他端部に回動自在に支持された防護柵支柱と、を備えた足場板支持装置であって、
前記第１取付け具は、前記支持部材の一端部をコ字状に屈曲させ、前記支持部材と平行な固定片に設けた第１係止部からなり、
前記第１係止部は、前記固定片に設けたネジ穴に螺合して前記支持部材下面に対して進退する第１軸部と、該第１軸部の先端部に設けられ該第１軸部の締結時に前記支持部材下面との間で前記被取付材を挟圧する第１係止部材と、該第１軸部の他端部に設けられた第１頭部とからなり、
前記第２取付け具は、前記支持部材の下面から前記支持部材の長手方向に直交する方向に延出するネジ固定部と、第２係止部とからなり、
前記第２係止部は、前記ネジ固定部に設けたネジ穴に螺合して前記支持部材下面に平行に進退する第２軸部と、該第２軸部の先端部に設けられ該２軸部の締結時に被取付材の側方から押圧する第２係止部材と、該第２軸部の他端部に設けられた第２頭部と、を備え、
前記支持部材の他端部には上向きに屈曲した支柱支持片を有し、前記防護柵支柱は該支柱支持片を貫通した支持穴内に遊嵌して起立状態と横臥状態との間を変位可能に構成されたことを特徴とする足場板支持装置。
【請求項３】
前記第１係止部材に前記被取付材の底面及び側面と接触するＬ字板のアダプターを装着したことを特徴とする請求項１に記載の足場板支持装置。
【請求項４】
前記第１係止部材に前記被取付材の底面及び側面と接触する断面矩形状のアダプターを装着したことを特徴とする請求項２に記載の足場板支持装置。
【請求項５】
前記第１係止部材に前記被取付材の外形と接触する凹部を有するアダプターを装着したことを特徴とする請求項２に記載の足場板支持装置。
【発明の詳細な説明】
【技術分野】
【０００１】
本発明は建物や工場設備等の建設や改装、補修、点検等を行う際に、その建物や工場設備等に付設される足場を取り付けるための足場板支持装置であって、特に建物や工場設備等の既存の設備の一部を利用して該設備に足場板を設置する際に用いる足場板支持装置に関する。
【背景技術】
【０００２】
従来、建物や工場設備等に付設される金属製パイプからなる組立式の足場が知られている。図９は特許文献１（特開２００４−６８４５０公報）に開示された従来の金属製パイプからなる組立式足場の一例であり、同図に示すように、一対の脚柱１１１、１１１と、両脚柱１１１、１１１の上端間を連結する横架材１１２と、補強枠１１３とで構成される一対の縦枠１１４を所定間隔をおいて対向させて立設し、横架材１１２、１１２間に足場板１１５、１１６を架け渡すと共に、両脚柱１１１、１１１間に筋交い１１７、１１７を交差状に架け渡し、順次多段状に積み上げるようにして組み立てられる。
また、特許文献２（特開平５−５９８１０号公報）には被取付材の幅の如何に関わらず、足場装置を被取付材へ楽に取り付けることが可能な足場装置の取付器具が開示されており、この取付器具は一端側が足場装置に取り付けられる位置調整軸と、該位置調整軸に外嵌されて軸方向に進退可能な挟持部材とを備え、位置調整軸の表面には摩擦係合溝が形成され、挟圧部材は被取付材を挟持する把持爪と摩擦係合溝との圧着部材を有している。
さらに、特許文献３（特開平７−３３１８６８号公報）には足場構造に足場を取り付ける作業を容易化するため、先端が略Ｕ字型に曲折され、連結棒およびストッパを有す支持棒が開示され、特許文献４（特開平１０−３２５２３９公報）には足場板を支持する支柱を保持するための本体部と、外本体部を建物の軸組の下端および基礎に取り付けるための取付片を有する仮説足場の取付金具が開示されている。
【先行技術文献】
【特許文献】
【０００３】
【特許文献１】特開２００４−６８４５０公報
【特許文献２】特開平５−５９８１０号公報
【特許文献３】特開平７−３３１８６８号公報
【特許文献４】特開平１０−３２５２３９号公報
【発明の概要】
【発明が解決しようとする課題】
【０００４】
しかしながら、特許文献１に開示の従来の足場は、足場設置のために地上に広い面積が必要となり、また足場の組立・解体や更に防護柵を取り付けるために多大の手間と時間を要し、労務費が嵩む問題があった。また、足場の設置が不要になった場合には、足場を解体し、適宜保管することが可能であるが、建枠、横架材、足場板、筋交い、防護柵などの部品が多数存在するため、部品の保管が煩雑で紛失しやすいという問題点があった。
また、特許文献２に開示された足場装置の取付器具には、Ｈ鋼等の被取付材に足場装置を取り付けるための器具が開示されており、足場設置のための地上面積は不要であるが、被取付材は例えばＨ鋼等、把持爪が係合することが前提であり、形状の異なる様々な被取付材に対応できず、かつ防護柵を取り付けるためには別途部品を用意しなければならないという問題点があった。
さらに、特許文献３及び特許文献４に開示された足場の取付金具は部品点数が多く、保管が煩雑で紛失しやすく、かつ、防護柵を取り付けるためには別途部品を用意しなければならないという問題点があった。
本発明は上記に鑑みてなされたものであり、足場設置のために地上に所定の面積を必要とせず、部品の保管が容易で、かつ、簡易に防護柵を取り付けることが可能な足場板支持装置を提供することを目的としている。
【課題を解決するための手段】
【０００５】
上記目的を達成するため、請求項１の発明は、上面に足場板を支持する支持部材と、該支持部材の一端部に設けられて該支持部材を被取付材に着脱自在に取り付ける第１取付け具と、該支持部材の他端部に回動自在に支持された防護柵支柱と、を備えた足場板支持装置であって、前記第１取付け具は、前記支持部材の一端部をＬ字状に屈曲させた垂下片に対して一片を上下方向へスライド自在に係合させたＬ字板状の可動片と、第１係止部とからなり、前記第１係止部は前記支持部材と平行な前記可動片の他片に設けたネジ穴に螺合して前記支持部材下面に対して進退する第１軸部と、該第１軸部の先端部に設けられ該第１軸部の締結時に前記支持部材下面との間で前記被取付材を挟圧する第１係止部材と、該第１軸部の他端部に設けられた第１頭部と、を備え、前記支持部材の他端部には上向きに屈曲した支柱支持片を有し、前記防護柵支柱は該支柱支持片を貫通した支持穴内に遊嵌して起立状態と横臥状態との間を変位可能に構成されたことを特徴とする。
支持部材の一端部に支持部材を被取付部材に取り付ける取付け具と、支持部材の他端部に防護柵支柱が設けられているので、被取付材に足場板支持装置を取り付け、該足場板支持装置の上面に足場板を支持させることにより簡易に足場を設置することができる。また被取付材に足場板支持装置を固定するため、足場設置のために地上に所定の面積が不要となり、かつ防護柵も容易に設置することができる。さらに、足場板支持装置を被取付材に固定するために必要な全ての部材並びに防護柵を設置するための部材が該足場板支持装置に含まれているので部品の保管が容易で紛失等も生じることがない。
【０００６】
請求項２の発明は、上面に足場板を支持する支持部材と、該支持部材の一端部に設けられて該支持部材を被取付材に着脱自在に取り付ける第１及び第２の取付け具と、該支持部材の他端部に回動自在に支持された防護柵支柱と、を備えた足場板支持装置であって、前記第１取付け具は、前記支持部材の一端部をコ字状に屈曲させ、前記支持部材と平行な固定片に設けた第１係止部からなり、前記第１係止部は前記固定片に設けたネジ穴に螺合して前記支持部材下面に対して進退する第１軸部と、該第１軸部の先端部に設けられ該第１軸部の締結時に前記支持部材下面との間で前記被取付材を挟圧する第１係止部材と、該第１軸部の他端部に設けられた第１頭部とからなり、前記第２取付け具は、前記支持部材の下面に前記支持部材の長手方向に直交する方向に延出するネジ固定部と、第２係止部とからなり、前記第２係止部は前記ネジ固定部に設けたネジ穴に螺合して前記支持部材下面に平行に進退する第２軸部と、該第２軸部の先端部に設けられ該２軸部の締結時に被取付材の側方から押圧する第２係止部材と、該第２軸部の他端部に設けられた第２頭部と、を備え、前記支持部材の他端部には上向きに屈曲した支柱支持片を有し、前記防護柵支柱は該支柱支持片を貫通した支持穴内に遊嵌して起立状態と横臥状態との間を変位可能に構成されたことを特徴とする。
足場板支持装置の被取付材への固定を係止方向が直交する第１取付け具と第２取付け具とを用いるので確固にすることができる。
【０００７】
請求項３の発明は、請求項１において、前記第１係止部材に前記被取付材の底面と側面と接触するＬ字板のアダプターを装着したことを特徴とする。
第１係止部材に被取付材の底面と側面とに接触するＬ字板のアダプターを装着することにより、被取付材の断面が円形、三角形など取付け金具の締付けが難しいものであっても被取付材に確実に足場板支持装置を固定することができる。
請求項４の発明は、請求項２において、前記第１係止部材に前記被取付材の底面と側面と接触する断面矩形状のアダプターを装着したことを特徴とする。
第１係止部材に前記被取付材の底面と側面と接触する断面矩形状のアダプターを装着することにより被取付材に確実に足場板支持装置を固定することができる。
請求項５の発明は、請求項２において、前記第１係止部材に前記被取付材の外形と接触する凹部を有するアダプターを装着したことを特徴とする。
第１係止部材に被取付材の外形と接触する凹部を有するアダプターを装着することにより、被取付材の断面が円形、三角形など取付け金具の締付けが難しいものや被取付材の断面が矩形のものであっても被取付材に確実に足場板支持装置を固定することができる。
【発明の効果】
【０００８】
本発明によれば、支持部材の一端部に支持部材を被取付部材に取り付ける取付金具と、支持部材の他端部に防護柵支柱が設けられているので、被取付材に足場板支持装置を取り付け、該足場板支持装置の上面に足場板を支持させることにより簡易に足場を設置することができる。また被取付材に足場板支持装置を固定するため、足場設置のために地上に所定の面積が不要となり、かつ防護柵も容易に設置することができる。さらに、足場板支持装置を被取付材に固定するために必要な全ての部材並びに防護柵を設置するための部材が該足場板支持装置に含まれているので部品の保管が容易で紛失等も生じることがない。
また、足場板支持装置を被取付材に固定する第１取付け具に加え、該第１取付け具の係止方向と直交する方向に係止する第２取付け具とを用いるのでより強固に足場板支持装置を固定することができる。
さらに、第１取付け具の第１係止部に被取付材の外形と接触する断面矩形状のアダプター或いは被取付材の外形と嵌合する凹部を有すアダプターを装着することにより足場板支持装置を固定する被取付材の断面形状に左右されず、足場板支持装置を強固に固定することができる。
【図面の簡単な説明】
【０００９】
【図１】（ａ）及び（ｂ）は本発明の一実施形態にかかる足場板支持装置の正面図及び斜視図。
【図２】防護柵支柱を起立状態にした際の一部拡大図。
【図３】（ａ）は設備の概観を示す図、（ｂ）は設備に足場板支持装置を取り付けた場合の状態を示す図。
【図４】足場板支持装置をアングル材に取り付けた場合の取付け部の拡大図。
【図５】（ａ）は本発明にかかる足場板支持装置を断面がＨ型のＨ型鋼に取り付けた場合の取付け部の拡大図、（ｂ）は本発明にかかる足場板支持装置を断面が丸型の円形断面鋼に取り付けた場合の取付け部の拡大図、（ｃ）は本発明にかかる足場板支持装置を断面が三角形の三角形断面鋼に取り付けた場合の取付け部の拡大図。
【図６】本発明にかかる足場板支持装置の取付け具の他の実施の形態を示す図。
【図７】（ａ）〜（ｅ）は本発明にかかる足場板支持装置の取付け具の他の実施の形態を示す図。
【図８】（ａ）〜（ｅ）は本発明にかかる足場板支持装置の取付け具に用いるアダプターの構造を示す斜視図であり、（ｆ）はその断面図である。
【図９】従来の建物や工場設備等に付設される金属製パイプからなる組立式の足場を示す図。
【発明を実施するための形態】
【００１０】
以下、本発明を図面に示した実施の形態により詳細に説明する。
図１（ａ）、（ｂ）は本発明の一実施形態にかかる足場板支持装置の正面図及び斜視図である。
足場板支持装置１０はその上面に足場板（図示せず）を支持する支持部材１２と、支持部材の一端部に設けられて支持部材１２を被取付材（図示せず）に着脱自在に取り付ける取付け具１５と、支持部材１２の他端部に回動自在に支持された防護柵支柱２０と、から構成されている。
取付け具１５は、支持部材１２の一端部をＬ字状に屈曲させた垂下片１２ａに接し、該垂下片１２ａに設けた左右一対のガイド１２ｂによりその両端縁が上下方向へスライド自在に案内された可動片１６と、第１係止部１７と、から構成されている。可動片１６は各ガイド１２ｂに案内されたスライド片１６ａが上下方向へスライド自在に支持され、またスライド片１６ａの上部には前方に屈曲した抜け落ち防止部材１６ｂが設けられているので収納時等において可動片１６はガイド１２ｂ間から抜け落ちることがなく、部品の紛失が生じない。
第１係止部１７はスライド片１６ａの下部に設けた屈曲片１６ｃに形成したネジ穴１６ｃ’に螺合して支持部材１２の下面に対して進退する第１軸部（螺子棒）１７ａと、第１軸部１７ａの先端部に設けられ第１係止部１７の締結時に支持部材１２の下面との間で被取付材を挟圧する第１係止部材１７ｂと、第１軸部１７ａの他端部に設けられた第１頭部１７ｃとを備えている。
【００１１】
一方、支持部材１２の他端部には上向きに屈曲した支柱支持片１２ｃを有し、防護柵支柱２０は支柱支持片１２ｃを貫通した支持穴１２ｄ内に遊嵌して設けられており、防護柵支柱２０のＬ字状に屈曲した一端にはネジ部２０ａが設けられ、ネジ部２０ａにはナット等の固定材２０ｂが螺着されている。ナット等の固定材２０ｂは、防護柵支柱２０を起立状態で固定すると共に、防護柵支柱２０が図示の横臥状態にある時には、防護柵支柱２０ａが支柱支持片１２ｃから抜け落ちることを防止する。また、防護柵支柱２０の他端には防護柵ロープを保持する環状のローブ保持部２０ｃを備えている。
図２は防護柵支柱２０を起立状態にした際の一部拡大図であり、防護柵支柱２０を起立させた状態で固定材２０ｂを締めることにより防護柵支柱２０は支柱支持片１２ｃに沿って起立した状態で固定することができる。したがって、固定材２０ｂを締め付けたり解除することで、防護柵支柱は起立状態と横臥状態との間を変位可能に構成されている。
図３（ａ）は変電設備等で用いられているＬ字鋼からなる基礎構造体３０及び該構造体上に設けられた碍子等の設備３１の概観を示す図であり、図３（ｂ）は（ａ）に示した既存の設備である基礎構造体の一部を利用し、その設備に足場板支持装置１０並びに足場板を取り付けた場合の状態を示す図である。
【００１２】
本発明の一実施形態にかかる足場板支持装置は既存の構造体３０を構成している、例えばアングル材（断面がＬ字状の山形鋼）３２の水平な格３２ａ部分の上面に足場板支持装置１０の垂下片１２ａ側の下面を当接した状態で取付け具１５の第１系止部１７を締め付けることにより、第１係止部材１７ｂの上面が格３２ａの下面に当接し、格３２ａは支持部材１２の下面と第１係止部材１７ｂとの間で挟圧された状態で保持される。また、防護柵支柱２０は図２に示したように起立状態で固定され、ロープ保持部２０ｃの貫通孔にロープ４０を通すことにより簡単に防護柵を設置することができる。更に構造体３０に足場板支持装置１０を固定した後、足場板支持装置１０の支持部材１２上に平板状の足場板５０を載置することにより簡易に足場を設置することができる。
このように既存の構造体３０の一部を利用し、足場板支持装置１０を用いて足場を設置することができるので、通常足場を組む際に必要な地上のスペースが不要となり、また、例えば構造体３０の基礎３４が従来の足場の脚柱を設置するのに邪魔となる箇所に存在したり、或いは基礎３４が平坦でなく、従来の足場の脚柱を設置するのに不都合な場合であっても、確実且つ簡易に足場を設置することができる。
【００１３】
図４は本発明にかかる足場板支持装置１０をアングル材３２に取り付けた場合の取付け部の拡大図であり、支持部材１２の下面１２ｅとアングル材３２（格３２ａ）の上面３２ｂとを当接した状態で取付け具１５の第１系止部１７を締め付けることにより、第１係止部材１７ｂの上面がアングル材３２の下面３２ｃに当接し、アングル材３２は支持部材１２の下面１２ｅと第１係止部材１７ｂとの間で挟圧された状態で保持される。
図５（ａ）、（ｂ）、（ｃ）は本発明にかかる足場板支持装置１０をアングル材以外の構造体に取り付けた場合の取付け部の拡大図であり、（ａ）は断面がＨ型のＨ型鋼６０に取り付けた場合、（ｂ）は断面が丸型の円形断面鋼６２に取り付けた場合、（ｃ）は断面が三角形の三角形断面鋼６４に取り付けた場合を示す図である。
図５（ａ）に示すように、Ｈ型鋼６０に足場板支持装置１０を取り付ける場合は、前述したアングル材３２に取り付ける場合と同様、支持部材１２の下面１２ｅとＨ型鋼６０の上面６０ａとを当接した状態で取付け具１５の第１系止部１７を締め付けることにより、第１係止部材１７ｂの上面がＨ型鋼６０の下面６０ｂに当接し、Ｈ型鋼６０は支持部材１２の下面１２ｅと第１係止部材１７ｂとの間で挟圧した状態で保持される。
また、図５（ｂ）、（ｃ）に示すように、第１係止部１７の上面と支持部材１２の下面とで挟圧保持が困難な円形断面鋼６２や三角形断面鋼６４に足場板支持装置１０を取り付ける場合には、第１係止部の上部に断面がＬ字型のアダプター７０を配置することにより円形断面鋼６２や三角形断面鋼６４も支持部材１２の下面１２ｅとアダプター７０の上面との間で挟圧保持が可能となる。
【００１４】
図６は本発明にかかる足場板支持装置の取付け具の他の実施の形態を示す部分拡大図であり、支持部材１２の一端部に設けられて支持部材１２を被取付材であるアングル材３２に着脱自在に取り付ける第１取付け具２２と、アングル材３２を支持部材の長手方向と平行な方向に押圧する第２取付け具２５と、を有する。
第１取付け具２２は、支持部材１２の一端部をコ字状に屈曲させ、支持部材１２と平行な固定片２２ａに設けた第１の係止部２３からなり、第１の係止部２３は固定片２２ａに設けたネジ穴２２ｂに螺合して支持部材１２の下面１２ｅに対して進退する第１軸部（螺子棒）２３ａと、第１軸部２３ａの先端部に設けられ第１軸部の締結時に支持部材１２の下面１２ｅとの間で被取付材であるアングル材３２の一片を挟圧する第１係止部材２３ｂと、第１軸部２３ａの他端部に設けられた第１頭部２３ｃとから構成されている。
【００１５】
一方、第２取り付け具２５は、支持部材１２の下面１２ｅから支持部材の長手方向に直交する方向に延出するネジ固定部２７と、第２係止部２９とからなる。第２係止部２９はネジ固定部２７に設けたネジ穴２７ａに螺合して支持部材１２の下面１２ｅに平行に進退する第２軸部（螺子棒）２９ａと、第２軸部２９ａの先端部に設けられ第２軸部２９ａの締結時に被取付材であるアングル材３２の他片を側方から押圧する第２係止部材２９ｂと、第２軸部２９ａの他端部に設けられた第２頭部２９ｃとから構成されている。
このように構成した足場板支持装置の取付け具では、まず足場板支持装置の支持部材１２のコ字状の部分にアングル材３２の一片を挿入し、その後、第２係止部２９を締めることによりアングル材３２の一片と支持部材１２のコ字状の部分とが嵌合し、抜け落ちることがなくなると共に、更に第１係止部２３を締めることにより、アングル材３２の上面３２ａが支持部材１２の下面１２ｅに挟圧され、より強固に固定することができる。
【００１６】
図７（ａ）、（ｂ）、（ｃ）、（ｄ）、（ｅ）は本発明にかかる足場板支持装置の取付け具の他の実施の形態を示す図であり、図６に示した実施の形態と異なる点は支持部材１２の一端部をコ字状に屈曲させ、支持部材１２と平行な固定片２２ａと支持部材１２の下面１２ｅとの距離を広げることにより、アングル材以外の様々な構造物に固定することができる点である。
図７（ａ）は、断面矩形の構造体、例えば矩形鋼材３５に取り付けた場合であり、前記図６と同様に、足場板支持装置の支持部材１２のコ字状の部分に矩形鋼材３５を挿入し、その後、第２係止部２９を締めることにより矩形鋼材３５を支持部材１２のコ字状の部分に押圧し、更に第１係止部２３を締めることにより、矩形鋼材３５の上面３５ａが支持部材下面１２ｅに挟圧され、より強固に固定することができる。図７（ｂ）は断面矩形のアダプター７２を用いてアングル材３２に足場板支持装置を固定した状態を示す図である。図７（ｃ）、（ｄ）、（ｅ）も被取付材がそれぞれ断面円形、断面矩形、断面三角形のものに、アダプター７３、７４、７５を用いて取り付けた図である。各アダプター７３，７４，７５は被取付材の外形と接触する凹部を有し、このアダプター７３，７４，７５により第１係止部２３及び第２係止部２５により強固に足場板支持装置を被取付材に固定することができる。
【００１７】
次に、図８（ａ）は図５（ｂ）、（ｃ）に用いる断面がＬ字型のアダプター７０、図８（ｂ）は図７（ｂ）に示した断面矩形のアダプター７２、図８（ｃ）は図７（ｃ）に示した断面円形の構造体に取り付けるためのアダプター７３、図８（ｄ）は図７（ｄ）に示した断面矩形の構造体に取り付けるためのアダプター７４、図８（ｅ）は図７（ｅ）に示した断面三角形の構造体に取り付けるためのアダプター７５を示す斜視図である。
これらの図に示すように、被取付材の構造に合わせ被取付材の外形と嵌合する凹部を有するアダプターを用いることにより、様々な構造の被取付材に足場板支持装置を固定することが可能となる。なお、アダプターは第１係止部材と一体に形成しても良いし、第１係止部材に着脱可能な構造に形成しても良いが、部品の紛失等を考慮すると、アダプターは第１係止部材と着脱可能であるが脱落しにくい構造、例えば図８（ｆ）に示すように第１係止部材２３ｂが嵌合する溝部７６をアダプター下部に設けることにより部品の紛失を防ぐようにしても良い。
【符号の説明】
【００１８】
１０  足場板支持装置、１２  支持部材、１２ａ  垂下片、１２ｃ  支柱支持片、１２ｄ  支持穴、１５  第１取付け具、１６  可動片、１７、２３  第１係止部、１７ａ、２３ａ  第１軸部、１７ｂ、２３ｂ  第１係止部材、１７ｃ、２３ｃ  第１頭部、２０  防護柵支柱、２５  第２取付け具、２７  ネジ固定部、２９  第２係止部、２９ａ  第２軸部、２９ｂ  第２係止部材、２９ｃ  第２頭部、３０  基礎構造体、３２、３５、６０、６２、６４  被取付材、７０  Ｌ字アダプター、７２  矩形アダプター、７３、７４、７５  凹部アダプター
【図１】
0005269147.tif 000002
【図２】
0005269147.tif 000003
【図３】
0005269147.tif 000004
【図４】
0005269147.tif 000005
【図５】
0005269147.tif 000006
【図６】
0005269147.tif 000007
【図７】
0005269147.tif 000008
【図８】
0005269147.tif 000009
【図９】
0005269147.tif 000010